(57)【要約】【課題】サンドイッチパネルを壁下地にアンカーボルトによって堅固に固定し、その上にタイル張りを施してアンカーボルトの頭部を隠蔽し、美観に優れた仕上げ面とすることができるタイル壁を提供する。【解決手段】サンドイッチパネル１０を壁面２０に当て、ドリルによってサンドイッチパネル１０に貫通孔３０を穿孔し、さらに壁面２０にアンカー穴３２を穿設する。アンカー本体４１、アンカーボルト４２及びワッシャ４３を備えてなるアンカー４０を、貫通孔３０からアンカー穴３２へ打ち込む。この際、アンカー本体４１の先端側を壁面２０から突出させ、開口３１の上縁が該アンカー本体４１に上方から当接した状態とする。その後、アンカーボルト４２をアンカー本体４１へ十分に締め込んでサンドイッチパネル１０を壁面２０に固定する。サンドイッチパネル１０の表面に弾性接着剤５０を塗着し、タイル５１に張り付け、必要に応じ目地詰めを行う。【選択図】図３
2006193911.tif 000002
【特許請求の範囲】
【請求項１】
表側及び裏側の１対の金属板同士の間に断熱材が介在されてなるサンドイッチパネルが壁面に取付部材によって取り付けられ、
該サンドイッチパネルの前面にタイルが張り付けられてなるタイル壁において、
該取付部材は、該壁面に打ち込まれたアンカー本体と、該アンカー本体に螺じ込まれ、頭部が該サンドイッチパネルの前面側に配置されたアンカーボルトとを備えてなることを特徴とするタイル壁。
【請求項２】
請求項１において、該サンドイッチパネルには、該ボルトが挿通される貫通孔が厚み方向に貫設されており、
前記アンカー本体の先端側は、前記壁面から突出しており、該貫通孔のうち該裏側の金属板を貫く部分の少なくとも上縁が該アンカーの該先端側に対し当接していることを特徴とするタイル壁。
【発明の詳細な説明】
【技術分野】
【０００１】
本発明はタイル壁に係り、特に壁面に金属板と断熱材とのサンドイッチパネルを取り付け、その上にタイル張りしてなるタイル壁に関する。
【背景技術】
【０００２】
壁面をタイル張り壁面とする際に使用される外装用下地パネルとして、金属板と発泡断熱材とを有するものが用いられることがある。
【０００３】
特開平１０−３１７５７９号公報には、発泡断熱材を芯材とし、これの表裏にアルミ板、鋼板等の金属板を設けたサンドイッチ構造のパネルが記載されている（第０００７、０００８段落、図１等）。このパネルは複数枚突き合わせるようにして壁下地上に配設され、釘留めされ、突き合わせ面を覆うように防水テープが貼着される（第００２３段落、図７）。このパネルの前面にセラミック板（第００２１段落）等が取り付けられる。
【特許文献１】特開平１０−３１７５７９号公報
【発明の開示】
【発明が解決しようとする課題】
【０００４】
Ｉ．上記特開平１０−３１７５７９号公報にあっては、パネルは釘打ちにより壁下地に取り付けられるものであり、壁下地がコンクリート壁などの場合には適用できない。
また、釘によるサンドイッチパネルの取り付けは耐久性に不足する恐れがある。
本発明は、サンドイッチパネルを壁下地にアンカーボルトによって堅固に固定し、その上にタイル張りを施してアンカーボルトの頭部を隠蔽し、美観に優れた仕上げ面とすることができるタイル壁を提供することを目的とする。
【０００５】
II．建物の外壁に発泡樹脂ボードを取り付け、この発泡樹脂ボードの外面に外装仕上げを施す外断熱工法が知られている。
【０００６】
上記の発泡樹脂ボードや断熱パネルを建物のコンクリート壁面にアンカーボルトで留め付けるには、発泡樹脂ボード等を壁面に当接し、該発泡樹脂ボード等を通してドリルで穿孔する。これにより、発泡樹脂ボード等に貫通孔が穿孔され、壁面にはアンカー穴が穿孔される。この貫通孔とアンカー穴とは同軸状となっている。その後、該貫通孔を通してアンカー穴にアンカーボルトを打ち込み、発泡樹脂ボード等を壁面に固定する。このようにアンカーボルトを用いれば、パネルを壁面に堅固に取り付けることが可能である。
【０００７】
第８図は、このようにして発泡樹脂ボードを壁面に取り付ける作業工程のうちドリルによる穿孔作業を示す縦断面図である。
【０００８】
コンクリート壁１に対し下段側の発泡樹脂ボード２がアンカーボルト３によって取り付けられている。このアンカーボルト３は、発泡樹脂ボード２に穿孔された貫通孔４を通ってアンカー本体５に螺じ込まれている。アンカー本体５は、壁面１に穿設されたアンカー穴６に打ち込まれている。従来、このアンカー本体５は壁１の前面と面一となるように打ち込まれる。
【０００９】
この発泡樹脂ボード２の上に上段側の発泡樹脂ボード２（２Ａ）が配置され、これから取り付けられようとしている。この発泡樹脂ボード２Ａは第１の作業員によって手でコンクリート壁１に押し付けられている。第２の作業員がドリル７を操作し、ドリルビット８によって貫通孔４及びアンカー穴６を穿孔する。
【００１０】
この穿孔作業後に、アンカーボルトを打ち込んで発泡樹脂ボード２Ａをコンクリート壁１に固定し、さらにその上段側に発泡樹脂ボード２を同様にして取り付ける。
【００１１】
このような第８図のアンカーボルトによるボード２の取付構造にあっては、貫通孔４の内周面とアンカーボルト３の外周面との間に全周にわたって隙間が存在しており、ボード２はアンカーボルト３の頭部３ａの押え付け力によって保持されている。そのため、経時的にこの押え付け力が緩んでくると、ボード２が面方向、特に重力の作用によって下方へズレ動き易くなる。特に、ボード２の場合、剛性が低いので、貫通孔４がボルト３と擦れて次第に拡大し、ズレ幅が大きくなるおそれもある。
【００１２】
本発明は、その一態様において、パネルが壁下地に対し長期にわたってしっかりとズレ動くことなく保持されるタイル壁を提供することを目的とする。
【課題を解決するための手段】
【００１３】
請求項１のタイル壁は、表側及び裏側の１対の金属板同士の間に断熱材が介在されてなるサンドイッチパネルが壁面に取付部材によって取り付けられ、該サンドイッチパネルの前面にタイルが張り付けられてなるタイル壁において、該取付部材は、該壁面に打ち込まれたアンカー本体と、該アンカー本体に螺じ込まれ、頭部が該サンドイッチパネルの前面側に配置されたアンカーボルトとを備えてなることを特徴とするものである。
【００１４】
請求項２のタイル壁は、請求項１において、該サンドイッチパネルには、該ボルトが挿通される貫通孔が厚み方向に貫設されており、前記アンカー本体の先端側は、前記壁面から突出しており、該貫通孔のうち該裏側の金属板を貫く部分の少なくとも上縁が該アンカーの該先端側に対し当接していることを特徴とするものである。
【発明の効果】
【００１５】
本発明のタイル壁にあっては、サンドイッチパネルがアンカー及びアンカーボルトによって壁面に強固に取り付けられており、この取付けの耐久性も良好である。本発明のタイル壁にあっては、アンカーボルトの頭部がタイル張りにより隠蔽されるため、仕上がりも美麗なものとなる。
【００１６】
請求項２のように、サンドイッチパネルの貫通孔のうち裏側の金属板を貫く部分の少なくとも上縁をアンカーに当接させることにより、サンドイッチパネルの荷重がアンカーに載荷されるようになり、サンドイッチパネルの壁面への取り付けが安定し、サンドイッチパネルの下方へのズレが長期にわたり確実に防止される。
【発明を実施するための最良の形態】
【００１７】
以下、図面を参照して実施の形態について説明する。第１図〜第３図は実施の形態に係るタイル壁を構築するための施工方法を示す断面図、第４図は同斜視図、第５図はアンカー打ち箇所を示す斜視図、第６図は軒下等における納まりを示す断面図、第７図はサンドイッチパネルを示す断面図である。
【００１８】
第７図の通り、サンドイッチパネル１０は、前面を構成する第１金属板１１と、後面を構成する第２金属板１２と、第１金属板１１と第２金属板１２との間に一体に設けられた発泡ポリウレタンフォーム等からなる断熱材１３とを有している。
【００１９】
サンドイッチパネル１０の上端には、厚みを小さくするようにして凸部１０ａが形成され、下端面には、凸部１０ａが挿入され得る凹部１０ｂが形成されている。各金属板１１，１２の上端側は、それぞれ凸部１０ａの前面及び後面をも覆っている。また、各金属板１１，１２の下端側は、サンドイッチパネル１０の前面側及び後面側から凹部１０ｂ内に回り込んでいる。凹部１０ｂの奥端面にはゴムパッキン１０ｃが設けられている。
【００２０】
このサンドイッチパネル１０をコンクリート壁面２０に取り付けるには、第１図のように、サンドイッチパネル１０を壁面２０に当て、ドリル（図示略）によってサンドイッチパネル１０に貫通孔３０を穿孔し、さらに壁面２０にアンカー穴３２を穿設する。貫通孔３０とアンカー穴３２とは一気に一続きに穿設される。符号３１は、貫通孔３０のうち第２金属板１２を貫く開口を示している。
【００２１】
次に、第２図の通り、アンカー本体４１、アンカーボルト４２及びワッシャ４３を備えてなるアンカー４０を、貫通孔３０からアンカー穴３２へ打ち込む。この際、アンカー本体４１の先端側を壁面２０から突出させ、開口３１の上縁が該アンカー本体４１に上方から当接した状態とする。その後、アンカーボルト４２をアンカー本体４１へ十分に締め込んでサンドイッチパネル１０を壁面２０に固定する。なお、アンカーボルト４２を締め込む前の状態においても、サンドイッチパネル１０がアンカー本体４１によって支承されるので、サンドイッチパネル１０から手を離してもサンドイッチパネル１０は落下しない。
【００２２】
所要枚数のサンドイッチパネル１０を上記の如くして壁面２０に取り付けた後、第３図及び第４図の通り、サンドイッチパネル１０の表面に弾性接着剤５０を塗着し、タイル５１に張り付け、必要に応じ目地詰めを行う。
【００２３】
これにより、コンクリート壁面２０を美麗でしかも断熱性に優れたタイル壁とすることができる。このサンドイッチパネル１０はアンカー４０によって壁面２０に固定されており、取り付けが堅固である。しかも、この実施の形態では、貫通孔３０のうち第２金属板１２を貫いている開口３１の上縁がアンカー本体４１に当接しており、サンドイッチパネル１０がアンカー本体４１に載荷された状態となっている。このため、サンドイッチパネル１０に加えられる重力がアンカー本体４１によって対抗されることになり、サンドイッチパネル１０の下方へのズレ動きが長期にわたり確実に防止される。
【００２４】
なお、サンドイッチパネル１０に対するアンカー打ちの本数は、第５図（ａ）のように幅が４００ｍｍ以下のサンドイッチパネル１０Ａの場合は上下２本程度で十分であり、幅が４００ｍｍを超えるサンドイッチパネル１０Ｂについては、上下左右合計４本又はそれ以上とするのが好ましい。
【００２５】
また、第６図のように壁面２０に軒下などの張出し２１があり、サンドイッチパネル１０の上端が張出し２１と干渉するときには、サンドイッチパネル１０の上部を現場寸法に合わせて切断し、アンカー留めするのが好ましい。
【００２６】
次に、本発明構造の寸法や材料の一例について説明するが、本発明はこれらに限定されるものではない。
【００２７】
サンドイッチパネル１０の金属板１１，１２は例えば厚さ０．２７ｍｍのガルバリウム鋼板とされ、断熱材１３は厚さ３５ｍｍのポリウレタンフォームとされる。サンドイッチパネル１０の大きさは、凸部１０ａ込みで高さ９２７ｍｍ、幅３０３０ｍｍとされる。
【００２８】
アンカー本体４１は、壁面２０から５〜２５ｍｍ程度突出するように打ち込まれる。
【００２９】
貫通孔３０及びアンカー穴３２の直径は例えば１０ｍｍとされ、アンカー本体４１のうち開口３１が載荷される部分の直径は９．５ｍｍとされる。アンカーボルト４２の螺子棒部分の直径は６ｍｍである。
【００３０】
アンカーボルト４２を締め込むと、座金４２は第１金属板１１の貫通孔３０の周縁部を押し込む。貫通孔３０からサンドイッチパネル１０の端縁までの距離が１００ｍｍ未満であると、第１金属板１１の貫通孔３０周囲がこの押し込みにより歪み、タイル張りにふさわしくない不陸面となってしまうので、この距離は１００ｍｍ以上であることが望ましい。
【図面の簡単な説明】
【００３１】
【図１】実施の形態に係るタイル壁を構築するための施工方法を示す断面図である。
【図２】実施の形態に係るタイル壁を構築するための施工方法を示す断面図である。
【図３】実施の形態に係るタイル壁を構築するための施工方法を示す断面図である。
【図４】実施の形態に係るタイル壁を構築するための施工方法を示す斜視図である。
【図５】アンカー打ち箇所を示す斜視図である。
【図６】軒下等における納まりを示す断面図である。
【図７】サンドイッチパネルを示す断面図である。
【図８】従来例を示す断面図である。
【符号の説明】
【００３２】
１０  サンドイッチパネル
１１，１２  金属板
１３  断熱材
２０  壁面
３０  貫通孔
３１  金属板１２を貫く開口
３２  アンカー穴
４０  アンカー
４１  アンカー本体
４２  アンカーボルト
５０  弾性接着剤
５１  タイル
【図１】
2006193911.tif 000003
【図２】
2006193911.tif 000004
【図３】
2006193911.tif 000005
【図４】
2006193911.tif 000006
【図５】
2006193911.tif 000007
【図６】
2006193911.tif 000008
【図７】
2006193911.tif 000009
【図８】
2006193911.tif 000010